(57)【要約】【課題】火災時に確実に閉鎖することができ、かつ、構成を簡略化することができる自閉式引き戸を提供する。【解決手段】戸１１に設けられた第一係止片２１と、戸枠１３側に設けられた第二係止片２２とが係止することで、戸の開放状態を維持することができ、かつ、手動操作で開放状態を解除可能に構成された戸保持機構３１，３２を備えた自閉式引き戸１０において、戸保持機構は、第一係止片および第二係止片の少なくとも一方に連結された形状記憶合金コイル２７を備え、所定温度以上になったときに、形状記憶合金コイルが収縮し、形状記憶合金コイルに連結された係止片が後退することにより第一係止片と第二係止片との係止状態が開放され、戸を自閉させることができるように構成されている。【選択図】図２
2012180704.tif 000002
【特許請求の範囲】
【請求項１】
戸に設けられた第一係止片と、戸枠側に設けられた第二係止片とが係止することで、前記戸の開放状態を維持することができ、かつ、手動操作で前記開放状態を解除可能に構成された戸保持機構を備えた自閉式引き戸において、
前記戸保持機構は、前記第一係止片および前記第二係止片の少なくとも一方に連結された形状記憶合金コイルを備え、
所定温度以上になったときに、前記形状記憶合金コイルが収縮し、該形状記憶合金コイルに連結された係止片が後退することにより前記第一係止片と前記第二係止片との係止状態が開放され、前記戸を自閉させることができるように構成されていることを特徴とする自閉式引き戸。
【請求項２】
前記形状記憶合金コイルが収容された位置に対向した箇所に、熱侵入窓が形成されていることを特徴とする請求項１に記載の自閉式引き戸。
【請求項３】
前記形状記憶合金コイルが前記第二係止片に連結されており、
前記熱侵入窓が天井面近傍に設けられていることを特徴とする請求項２に記載の自閉式引き戸。
【請求項４】
前記形状記憶合金コイルを囲繞するように断熱材が設けられていることを特徴とする請求項１〜３のいずれか１項に記載の自閉式引き戸。
【発明の詳細な説明】
【技術分野】
【０００１】
本発明は、自閉式引き戸に関するものである。
【背景技術】
【０００２】
火災時に熱や煙の拡散を抑える目的から、自閉式の不燃扉や防火扉が建物の各所に設置されている。特に、病院では避難時に要援護者が多数存在することから、火災が発生した病室の扉が確実に閉鎖されることが避難時の安全を確保する上で極めて重要となる。この病室の扉には、患者の日常行動を考慮して、一般的に、自閉式の引き戸が使用されることが多い。
【０００３】
しかし、病院では、日常的に（一日に数回）、看護師や医師が患者を検診などのために見回る必要があり、病室の引き戸が常時閉鎖されていると、検査機器の搬出入など日常的な業務が行いにくく、業務効率が悪くなる可能性がある。また、車椅子の患者や援護が必要な患者が病室を出入りする場合には、引き戸が全開で開放状態が維持されることが必要である。そのため、自閉式の引き戸に、例えば、図５に示すような日常時の開放状態を保つためのストッパー１２１，１２２が設けられることが多い。このような引き戸１１１が設置されている場合は、昼間など日常業務が頻繁に行われる時間帯は引き戸１１１を開放状態に保持し、夜間などはストッパー１２１，１２２を解除するように引き戸１１１を手動で戻し、自閉状態にしている。
【０００４】
ところが、このような構成の引き戸が開放状態のときにその病室で火災が発生すると、誰かが引き戸を操作して自閉状態に戻すまでその病室から煙が流出し続け、行動に難がある患者などの避難に支障が出ることが考えられる。
【０００５】
そこで、特許文献１のように、常時開放、手動閉鎖の機能を維持しながら、火災時などには遠隔装置によって自動的に閉鎖状態にすることができる扉が提案されている。
【先行技術文献】
【特許文献】
【０００６】
【特許文献１】特開２０００−９６９４０号公報
【発明の概要】
【発明が解決しようとする課題】
【０００７】
ところで、特許文献１に記載された扉は、火災時などに自動的に閉鎖状態にするために熱感知器もしくは煙感知器と連動して扉を開閉させることが可能な電磁開放装置が装備されており、構成が複雑化するとともに、感知器と電磁開放装置との間を結ぶ制御線に不具合が生じた際には確実に動作しない虞があるという問題がある。
【０００８】
そこで、本発明は、上記事情を鑑みてなされたものであり、火災時に確実に閉鎖することができ、かつ、構成を簡略化することができる自閉式引き戸を提供するものである。
【課題を解決するための手段】
【０００９】
上記の課題を解決するために、請求項１に記載した発明は、戸に設けられた第一係止片と、戸枠側に設けられた第二係止片とが係止することで、前記戸の開放状態を維持することができ、かつ、手動操作で前記開放状態を解除可能に構成された戸保持機構を備えた自閉式引き戸において、前記戸保持機構は、前記第一係止片および前記第二係止片の少なくとも一方に連結された形状記憶合金コイルを備え、所定温度以上になったときに、前記形状記憶合金コイルが収縮し、該形状記憶合金コイルに連結された係止片が後退することにより前記第一係止片と前記第二係止片との係止状態が開放され、前記戸を自閉させることができるように構成されていることを特徴としている。
【００１０】
請求項１に記載した発明によれば、昼間などの日常時には戸側の第一係止片と戸枠側の第二係止片とを係止することにより、引き戸の戸を開放状態に維持することができ、夜間などでは、手動で第一係止片と第二係止片との係止状態を解除して自閉させることができる。また、戸が開放状態に維持された状態で火災が発生した場合には、形状記憶合金コイルの温度が上昇することで、該形状記憶合金コイルが連結された側の係止片が後退して第一係止片と第二係止片との係止状態を確実に解除することができる。したがって、本発明の自閉式引き戸は、簡略化された構成でありながら火災時に確実に戸を閉鎖することができる。
【００１１】
請求項２に記載した発明は、前記形状記憶合金コイルが収容された位置に対向した箇所に、熱侵入窓が形成されていることを特徴としている。
【００１２】
請求項２に記載した発明によれば、火災時に熱侵入窓を介して形状記憶合金コイルに早期に熱を伝達することができる。したがって、戸を早期に自閉させることができるため、避難経路に熱や煙が侵入するのを抑制することができる。
【００１３】
請求項３に記載した発明は、前記形状記憶合金コイルが前記第二係止片に連結されており、前記熱侵入窓が天井面近傍に設けられていることを特徴としている。
【００１４】
請求項３に記載した発明によれば、火災時に室内の温度は天井面付近から上昇するため、いち早く形状記憶合金コイルに熱を伝達することができる。したがって、戸をより早く自閉させることができるため、避難経路に熱や煙が侵入するのをより確実に抑制することができる。
【００１５】
請求項４に記載した発明は、前記形状記憶合金コイルを囲繞するように断熱材が設けられていることを特徴としている。
【００１６】
請求項４に記載した発明によれば、断熱材を設けることにより、火災時に形状記憶合金コイルの回りに侵入してきた熱が逃げてしまうのを抑制することができる。したがって、形状記憶合金コイルを確実に収縮させることができ、開放状態にあった戸を閉鎖状態にすることができる。
【発明の効果】
【００１７】
本発明の自閉式引き戸によれば、昼間などの日常時には戸側の第一係止片と戸枠側の第二係止片とを係止することにより、引き戸の戸を開放状態に維持することができ、夜間などでは、手動で第一係止片と第二係止片との係止状態を解除して自閉させることができる。また、戸が開放状態に維持された状態で火災が発生した場合には、形状記憶合金コイルの温度が上昇することで、該形状記憶合金コイルが連結された側の係止片が後退して第一係止片と第二係止片との係止状態を確実に解除することができる。したがって、簡略化された構成でありながら火災時に確実に戸を閉鎖することができる。
【図面の簡単な説明】
【００１８】
【図１】本発明の実施形態における自閉式引き戸の概略構成を示す正面図であり、（ａ）は閉鎖状態を示し、（ｂ）は開放状態を示す。
【図２】図１のＡ部拡大図（一部断面図）であり、戸が開放状態（係止状態）の図である。
【図３】図１のＡ部拡大図（一部断面図）であり、戸が開放状態から閉鎖状態への移行時（係止状態解除）の図である。
【図４】本発明の実施形態における形状記憶合金コイルの断面図である。
【図５】従来の自閉式引き戸の概略構成を示す正面図である。
【発明を実施するための形態】
【００１９】
本発明の実施形態を図面に基づいて説明する。
図１は本実施形態の自閉式引き戸（以下、「引き戸」という）の概略構成正面図であり、（ａ）は閉鎖状態を示し、（ｂ）は開放状態を示している。図１に示すように、引き戸１０は、病院の病室などに設置されるものであり、戸枠１３に沿って略水平方向に移動可能に配された戸１１と、戸１１を開放状態に保持可能な一対の係止片２１，２２とを備えている。なお、戸１１に設けられた係止片２１を第一係止片２１とし、戸枠１３側に設けられた係止片２２を第二係止片２２とする。
【００２０】
本実施形態の戸１１は自閉式であり、第一係止片２１と第二係止片２２とが係止していない状態では戸１１は開口部１５を閉鎖するように位置し（図１（ａ）参照）、第一係止片２１と第二係止片２２とが係止することで戸１１は開口部１５を開放状態に保持することができるように構成されている（図１（ｂ）参照）。また、戸１１は、通常の不燃扉や防火扉の構造で構成されている。ただし、病院の安全性をより高めるには、防火扉の構造で構成されていることが望ましい。
【００２１】
ここで、図２に戸１１の係止機構の構成について示す。なお、以下の説明では、第一係止片２１が備えられた側を第一係止機構３１とし、第二係止片２２が備えられた側を第二係止機構３２とする。
【００２２】
図２に示すように、第一係止機構３１は、第一係止片２１と、戸１１に形成された凹陥部２３内に配された付勢部材２４と、を有している。付勢部材２４は、その一端が戸１１の凹陥部２３に固定されており、他端が第一係止片２１に連結されている。第一係止片２１に負荷がかかっていない状態では、第一係止片２１の下端部２１ａと戸１１の上端部１１ａとが略面一になるように位置している。また、戸１１を水平方向に移動させて、第一係止片２１が第二係止片２２をかわす場合、第一係止片２１は第二係止片２２に押されることで付勢部材２４が縮み、第一係止片２１が凹陥部２３側に移動できるように構成されている。
【００２３】
一方、第二係止機構３２は、第二係止片２２と、戸枠１３や壁１４内に形成された凹陥部２５内に配され第二係止片２２に一端が連結された支持棒２６と、支持棒２６の他端と天井面１６との間に配された形状記憶合金コイル２７と、を有している。第二係止機構３２は、第一係止機構３１と係止されることで、戸１１の日常的な開放状態を保つ役割がある。また、第二係止機構３２は、火災時に致命的となる戸１１の開放状態を解除する役割がある。なお、本実施形態では、凹陥部２５の表面を覆うように形成された有底筒状の筒部材２８が設けられており、該筒部材２８の内部に支持棒２６および形状記憶合金コイル２７が配されている。筒部材２８は、基本的に、戸枠１３の下端１３ａから天井面１６までの長さを有している。また、形状記憶合金コイル２７は、熱を受け高温になると収縮する方向に形状が変化するものが用いられている。また、本実施形態では、形状記憶合金コイル２７の周囲を覆うように硬質断熱材２９が設けられている。さらに、筒部材２８には形状記憶合金コイル２７に効果的に熱を伝えるための熱侵入窓３０が設けられている。
【００２４】
熱侵入窓３０は、火災時の熱気流などが形状記憶合金コイル２７に早期に触れるように、天井面１６近くの筒部材２８の上部に設けられているとともに、壁１４の表面に露出するように配されている。このように熱侵入窓３０を設けることにより、火災初期でも熱が早期に筒部材２８内に入り込みやすくしている。つまり、形状記憶合金コイル２７が早期に作動できるように構成されている。
【００２５】
また、熱侵入窓３０に面するように形状記憶合金コイル２７が設けられている。形状記憶合金コイル２７は、熱伝達率の高い金属を用い、熱気流や輻射による熱によってその形状を変えられる。本実施形態では、熱により形状記憶合金コイル２７は即縮むものを採用している。形状記憶合金コイル２７は、例えばチタンやニッケルなどで形成されたものを用いている。また、形状記憶合金コイル２７は、図２、図３に示すように筒部材２８内の上部に収納されており、形状記憶合金コイル２７の周囲を覆うように硬質断熱材２９が設けられている。このように硬質断熱材２９を配することにより、形状記憶合金コイル２７から周囲への熱損失を抑えるとともに、形状記憶合金コイル２７に連結されている金属製などの支持棒２６への熱損失を抑制している。そして、図４に示すように、形状記憶合金コイル２７は、その内部に断熱材３５を挿入するように構成したり、または、中空形状のコイルを用いて空気層などを構成したりすることで、形状記憶合金コイル２７からの失熱を防ぐと共に、熱容量を抑えるようにしてもよい。このように構成することで、形状記憶合金コイル２７が早期に作動できるように構成されている。
【００２６】
上述した構成を有する引き戸１０の作用について説明する。
日常時は、図２に示すように形状記憶合金コイル２７が伸びた状態で保持されており、第二係止片２２の上下方向の位置は略固定されている。なお、形状記憶合金コイル２７の圧縮強度は、第二係止片２２が筒部材２８内に入り込まないように、第一係止片２１に連結されている付勢部材２４の付勢力よりも大きなものが採用されている。したがって、第二係止片２２は、第一係止片２１を上下に動かす役割を果たすことができる。つまり、手動で戸１１を水平方向に移動させることにより、開放状態と閉鎖状態とを自由に設定することができるようになっている。
【００２７】
一方、火災時には、形状記憶合金コイル２７が熱を受け、該形状記憶合金コイル２７が所定の温度に達すると、図３に示すように瞬時に形状記憶合金コイル２７が縮み、支持棒２６の先端に連結された第二係止片２２が自動的に上方に引き上げられる。これによって、第一係止片２１と第二係止片２２との係止状態が解除され、戸１１が開放状態から閉鎖状態に移行する。つまり、例えば戸１１の閉鎖手続きのミスなどで、日常時の戸１１の開放状態が維持されていても、第一係止片２１と第二係止片２２との係止状態を火災時の熱により解除することができ、戸１１の自閉機能により自動的に閉鎖状態に移行することができる。なお、戸１１を閉鎖するための所定温度は、硬質断熱材２９や熱侵入窓３０の大きさにより調整可能であるが、基本的には避難時の許容温度とされる約５０〜６０℃に設定することが望ましい。
【００２８】
本実施形態によれば、昼間などの日常時には戸１１側の第一係止片２１と戸枠１３側の第二係止片２２とを係止することにより、引き戸１０の戸１１を開放状態に維持することができ、夜間などでは、手動で第一係止片２１と第二係止片２２との係止状態を解除して自閉させることができる。また、戸１１が開放状態に維持された状態で火災が発生した場合には、形状記憶合金コイル２７の温度が上昇することで、該形状記憶合金コイル２７が連結された側の第二係止片２２が後退して第一係止片２１と第二係止片２２との係止状態を確実に解除することができる。したがって、引き戸１０は、簡略化された構成でありながら火災時に確実に戸１１を閉鎖することができる。
【００２９】
また、形状記憶合金コイル２７が収容された位置に対向した箇所に、熱侵入窓３０を形成したため、火災時に熱侵入窓３０を介して形状記憶合金コイル２７に早期に熱を伝達することができる。したがって、戸１１を早期に自閉させることができるため、避難経路に熱や煙が侵入するのを抑制することができる。
【００３０】
さらに、火災時に室内や廊下の温度は天井面１６付近から上昇するため、熱侵入窓３０を天井面１６近傍に設けることで、いち早く形状記憶合金コイル２７に熱を伝達することができる。したがって、戸１１をより早く自閉させることができるため、避難経路に熱や煙が侵入するのをより確実に抑制することができる。
【００３１】
そして、形状記憶合金コイル２７を囲繞するように硬質断熱材２９を設けたため、火災時に形状記憶合金コイル２７の回りに侵入してきた熱が逃げてしまうのを抑制することができる。したがって、形状記憶合金コイル２７を確実に収縮させることができ、開放状態にあった戸１１を閉鎖状態にすることができる。
【００３２】
尚、本発明は上述した実施形態に限られるものではなく、本発明の趣旨を逸脱しない範囲において、上述した実施形態に種々の変更を加えたものを含む。すなわち、実施形態で挙げた具体的な構造や構成などはほんの一例に過ぎず、適宜変更が可能である。
【００３３】
例えば、本実施形態では、第二係止機構３２の支持棒２６および形状記憶合金コイル２７を筒部材２８内に収容し、筒部材２８の表面に熱侵入窓３０を設けた場合の構成を説明したが、筒部材２８はなくてもよく、壁１４内に支持棒２６および形状記憶合金コイル２７を直接収容してもよく、また、壁１４の表面に直接熱侵入窓３０を配してもよい。
また、熱侵入窓３０は室内側でなく、廊下側に設けてもよく、その両側に設けてもよい。
【００３４】
また、本実施形態では、戸枠１３側に形状記憶合金コイル２７を備えた第二係止機構３２を設けた場合の説明をしたが、第一係止機構３１と第二係止機構３２とを入れ換えて戸１１側に第二係止機構３２を設け、戸枠１３側に第一係止機構３１を設けてもよい。
【符号の説明】
【００３５】
１０…引き戸（自閉式引き戸）  １１…戸  １３…戸枠  １６…天井面  ２１…第一係止片  ２２…第二係止片  ３１…第一係止機構（戸保持機構）  ３２…第二係止機構（戸保持機構）  ２７…形状記憶合金コイル  ２９…硬質断熱材（断熱材）  ３０…熱侵入窓  
【図１】
2012180704.tif 000003
【図２】
2012180704.tif 000004
【図３】
2012180704.tif 000005
【図４】
2012180704.tif 000006
【図５】
2012180704.tif 000007